(57)【要約】【課題】  複数のモニタに対する表示特性の校正処理を行う場合において、ユーザの利便性を向上することが可能な制御装置を提供する。【解決手段】  本発明の制御装置は、複数の表示装置の表示特性を校正する校正手段と、前記複数の表示装置に対して前記校正手段による校正を行う際、前記複数の表示装置のうち１台の表示装置を基準表示装置として選択する選択手段と、前記校正手段による校正結果が、所定の判定基準の範囲内か否かを判定する判定手段と、を備え、前記判定手段は、前記基準表示装置の校正結果を、予め設定された第１の判定基準の範囲に基づいて判定し、前記複数の表示装置のうち、前記基準表示装置ではない少なくとも１つの表示装置の校正結果を、前記基準表示装置の校正結果に基づいて生成された第２の判定基準の範囲に基づいて判定することを特徴とする。【選択図】  図１
2017111308.tif 000002
【特許請求の範囲】
【請求項１】
複数の表示装置に接続された制御装置であって、
前記複数の表示装置のうち１台の表示装置を基準表示装置として選択する選択手段と、
前記複数の表示装置の表示特性を校正する処理を前記基準表示装置から順に行う校正手段と、
前記校正手段による校正結果が、所定の判定基準の範囲内か否かを判定する判定手段と、
を備え、
前記判定手段は、前記基準表示装置の校正結果を、予め設定された第１の判定基準の範囲に基づいて判定し、前記複数の表示装置のうち、前記基準表示装置ではない少なくとも１つの表示装置の校正結果を、前記基準表示装置の校正結果に基づいて生成された、前記第１の判定基準の範囲よりも狭い第２の判定基準の範囲に基づいて判定することを特徴とする制御装置。
【請求項２】
前記第２の判定基準の範囲に基づいて判定された判定結果をユーザに通知する通知手段をさらに備えることを特徴とする請求項１に記載の制御装置。
【請求項３】
前記判定手段は、前記基準表示装置の校正結果が前記第１の判定基準の範囲内であると判定した場合に、前記基準表示装置ではない少なくとも１つの表示装置の校正結果について前記第２の判定基準の範囲に基づいて判定することを特徴とする請求項１または２に記載の制御装置。
【請求項４】
判定基準の範囲を設定する第１の設定手段と、
前記選択手段により選択した表示装置の使用モードを設定する第２の設定手段と、
をさらに備え、
前記第１の設定手段は、前記第２の設定手段により設定されたモードに応じて、前記第２の判定基準の範囲を変更することを特徴とする請求項１乃至３のいずれか一項に記載の制御装置。
【請求項５】
前記表示特性は、表示装置の輝度特性であることを特徴とする請求項１乃至４のいずれか１項に記載の制御装置。
【請求項６】
前記表示特性は、表示装置の色特性であることを特徴とする請求項１乃至４のいずれか１項に記載の制御装置。
【請求項７】
前記判定手段により、前記基準表示装置ではない少なくとも１つの表示装置の校正結果が、前記第２の判定基準の範囲内に収まらないと判定された場合、前記校正手段は、前記基準表示装置ではない少なくとも１つの表示装置に対する校正を再び実行することを特徴とする請求項１乃至６の何れか１項に記載の制御装置。
【請求項８】
前記判定手段により、前記基準表示装置ではない少なくとも１つの表示装置の校正結果が、前記第２の判定基準の範囲内に収まらないと判定された場合、前記校正手段は、前記基準表示装置ではない少なくとも１つの表示装置に対する校正を、所定の回数実行することを特徴とする請求項１乃至７の何れか１項に記載の制御装置。
【請求項９】
前記校正手段により、前記基準表示装置ではない少なくとも１つの表示装置に対して前記所定の回数実行した場合の校正結果が、前記判定手段により、前記第２の判定基準の範囲内に収まらないと判定された場合、前記校正手段は、前記基準表示装置ではない少なくとも１つの表示装置に対する校正を再び実行し、前記判定手段は、当該校正による校正結果を、前記第１の判定基準の範囲よりも狭く、且つ、前記第２の判定基準の範囲よりも広い第３の判定基準の範囲に基づき判定することを特徴とする請求項８に記載の制御装置。
【請求項１０】
前記校正手段により、前記基準表示装置ではない少なくとも１つの表示装置に対して前記所定の回数実行した場合の校正結果が、前記判定手段により前記第２の判定基準の範囲内に収まらないと判定された場合、前記表示装置に所定の画像を表示する表示手段をさらに備えることを特徴とする請求項８に記載の制御装置。
【請求項１１】
複数の表示装置に接続された制御装置の制御方法であって、
前記複数の表示装置のうち１台の表示装置を基準表示装置として選択する選択ステップと、
前記複数の表示装置の表示特性を校正する処理を前記基準表示装置から順に行う校正ステップと、
前記校正ステップにおける校正結果が、所定の判定基準の範囲内か否かを判定する判定ステップと、
を備え、
前記判定ステップでは、前記基準表示装置の校正結果を、予め設定された第１の判定基準の範囲に基づいて判定し、前記複数の表示装置のうち、前記基準表示装置ではない少なくとも１つの表示装置の校正結果を、前記基準表示装置の校正結果に基づいて生成された、前記第１の判定基準の範囲よりも狭い第２の判定基準の範囲に基づいて判定することを特徴とする制御装置の制御方法。
【請求項１２】
前記第２の判定基準の範囲に基づいて判定された判定結果を、ユーザに通知する通知ステップをさらに備えることを特徴とする請求項１１に記載の制御装置の制御方法。
【請求項１３】
前記判定ステップでは、前記基準表示装置の校正結果が前記第１の判定基準の範囲内であると判定した場合に、前記基準表示装置ではない少なくとも１つの表示装置の校正結果について前記第２の判定基準の範囲に基づいて判定することを特徴とする請求項１１または１２に記載の制御装置の制御方法。
【請求項１４】
判定基準の範囲を設定する第１の設定ステップと、
前記選択手段により選択した表示装置の使用モードを設定する第２の設定ステップと、
をさらに備え、
前記第１の設定ステップでは、前記第２の設定ステップにより設定されたモードに応じて、前記第２の判定基準の範囲を変更することを特徴とする請求項１１乃至１３のいずれか一項に記載の制御装置の制御方法。
【請求項１５】
前記表示特性は、表示装置の輝度特性であることを特徴とする請求項１１乃至１４のいずれか１項に記載の制御装置の制御方法。
【請求項１６】
前記表示特性は、表示装置の色特性であることを特徴とする請求項１１乃至１４のいずれか１項に記載の制御装置の制御方法。
【請求項１７】
前記判定ステップにおいて、前記基準表示装置ではない少なくとも１つの表示装置の校正結果が、前記第２の判定基準の範囲内に収まらないと判定された場合、前記校正ステップでは、前記基準表示装置ではない少なくとも１つの表示装置に対する校正を再び実行することを特徴とする請求項１１乃至１６の何れか１項に記載の制御装置の制御方法。
【請求項１８】
前記判定ステップにおいて、前記基準表示装置ではない少なくとも１つの表示装置の校正結果が、前記第２の判定基準の範囲内に収まらないと判定された場合、前記校正ステップでは、前記基準表示装置ではない少なくとも１つの表示装置に対する校正を、所定の回数実行することを特徴とする請求項１１乃至１７の何れか１項に記載の制御装置の制御方法。
【請求項１９】
前記校正ステップにおける、前記基準表示装置ではない少なくとも１つの表示装置に対して前記所定の回数実行した場合の校正結果が、前記判定ステップにおいて、前記第２の判定基準の範囲内に収まらないと判定された場合、前記校正ステップでは、前記基準表示装置ではない少なくとも１つの表示装置に対する校正を再び実行し、前記判定ステップでは、当該校正による校正結果を、前記第１の判定基準の範囲よりも狭く、且つ、前記第２の判定基準の範囲よりも広い第３の判定基準の範囲に基づき判定することを特徴とする請求項１８に記載の制御装置の制御方法。
【請求項２０】
前記校正ステップにおける、前記基準表示装置ではない少なくとも１つの表示装置に対して前記所定の回数実行した場合の校正結果が、前記判定ステップにおいて前記第２の判定基準の範囲内に収まらないと判定された場合、前記表示装置に所定の画像を表示する表示ステップをさらに備えることを特徴とする請求項１８に記載の制御装置の制御方法。
【請求項２１】
請求項１０乃至２０に記載の制御装置の制御方法の各ステップをコンピュータに実行させることを特徴とするプログラム。
【発明の詳細な説明】
【技術分野】
【０００１】
本発明は、制御装置及びその制御方法に関するものである。
【背景技術】
【０００２】
医療現場では、Ｘ線装置やＭＲＩ（Ｍａｇｎｅｔｉｃ  Ｒｅｓｏｎａｎｓｅ  Ｉｍａｇｉｎｇ）装置などの医用診断装置により撮影された医療画像を用いる診断（画像診断）が行われる。従来は、この医療画像をＸ線フイルムなどの画像記録フイルムに出力していたが、これでは画像記録フイルムのコストがかかってしまう。さらに、画像診断時において医療画像が多い場合には、画像記録フイルムの枚数も多くなり、画像診断を効率的に行うことができない、といった問題なども発生していた。
【０００３】
そこで、近年では、これらの問題を解決するために、医療画像を画像記録フイルムに出力するのではなく、医療画像データを液晶画像表示装置などのモニタに出力して、医療画像データに基づく医療画像をモニタに表示させて画像診断を行う場面が増加している。
【０００４】
また、医療現場では、２台のモニタを用いて、一方のモニタに現在の医療画像を表示し、他方のモニタに過去の医療画像を表示して、２つの画像の比較を行う場合がある。このような場合には、２台のモニタの表示特性が一致していることが好ましい。
【０００５】
また、モニタの表示部や光源部の劣化が進むと、所望の階調または輝度からズレが生じる。そのため、測色器を用いて、表示部の表示特性に関する特性値を測定し、測定値が目標値と一致するように、モニタの表示特性の校正処理（キャリブレーション処理）を行う技術が開示されている（例えば、特許文献１参照）。
【先行技術文献】
【特許文献】
【０００６】
【特許文献１】特開２０１０−２１２９３７号公報
【発明の概要】
【発明が解決しようとする課題】
【０００７】
しかしながら、例え、同一機種のモニタであっても、モニタ間における色再現域は完全には一致していない。さらには、モニタ間における表示部や発光部の劣化度合いも異なっている。よって、例え、予め与えられる目標値をモニタ間で一致させて校正しても、校正結果まで一致するとは限らない。そのため、上述した従来技術においては、校正結果が一致しないまま校正を終える場合があり、ユーザはモニタ間の表示特性の一致の度合い（類似の度合い；類似度）が低い状態で、診断を行ってしまう可能性があり、ユーザの利便性が充分ではなかった。
【０００８】
そこで本発明は、複数の表示装置に対する表示特性の校正処理を行う場合において、ユーザの利便性を向上することが可能な制御装置を提供することを目的とする。
【課題を解決するための手段】
【０００９】
本発明の制御装置は、複数の表示装置の表示特性を校正する校正手段と、前記複数の表示装置に対して前記校正手段による校正を行う際、前記複数の表示装置のうち１台の表示装置を基準表示装置として選択する選択手段と、前記校正手段による校正結果が、所定の判定基準の範囲内か否かを判定する判定手段と、を備え、前記判定手段は、前記基準表示装置の校正結果を、予め設定された第１の判定基準の範囲に基づいて判定し、前記複数の表示装置のうち、前記基準表示装置ではない少なくとも１つの表示装置の校正結果を、前記基準表示装置の校正結果に基づいて生成された第２の判定基準の範囲に基づいて判定することを特徴とする。
【００１０】
また、本発明の制御装置の制御方法は、複数の表示装置の表示特性を校正する校正ステップと、前記複数の表示装置に対して前記校正ステップにおいて校正を行う際、前記複数の表示装置のうち１台の表示装置を基準表示装置として選択する選択ステップと、前記校正ステップにおける校正結果が、所定の判定基準の範囲内か否かを判定する判定ステップと、を備え、前記判定ステップでは、前記基準表示装置の校正結果を、予め設定された第１の判定基準の範囲に基づいて判定し、前記複数の表示装置のうち、前記基準表示装置ではない少なくとも１つの表示装置の校正結果を、前記基準表示装置の校正結果に基づいて生成された第２の判定基準の範囲に基づいて判定する。
【発明の効果】
【００１１】
本発明によれば、複数の表示装置に対する表示特性の校正処理を行う場合において、ユーザの利便性が向上する。
【図面の簡単な説明】
【００１２】
【図１】本発明の実施例１に係る校正システムのブロック図である。
【図２】本発明の実施例１に係る校正処理及び判定処理を説明するためのフローチャートである。
【図３】本発明の実施例１に係るモニタ選択画面を説明するための図である。
【図４】本発明の実施例１に係る目標値設定画面を説明するための図である。
【図５】本発明の実施例１に係る測定処理を説明するためのフローチャートである。
【図６】本発明の実施例１に係る第２の判定基準を説明するためのグラフである。
【図７】本発明の実施例２に係る校正処理及び判定処理を説明するためのフローチャートである。
【図８】本発明の実施例２に係るモニタ用途選択画面を説明するための図である。
【図９】本発明の実施例２に係る第２の判定基準を説明するためのグラフである。
【図１０】本発明の実施例２に係るモニタ用途毎に対応付ける範囲の一例を説明するための表である。
【図１１】本発明の実施例３に係る校正処理及び判定処理を説明するためのフローチャートである。
【発明を実施するための形態】
【００１３】
［実施例１］
以下、実施例１を、図面を参照しながら説明する。
【００１４】
図１は、本発明の実施例１に係る校正システムのブロック図である。図１を参照して、本実施例に係る校正システムについて説明する。本実施例に係る校正システムは、図１に示すように、制御装置１００、及び、制御装置１００に接続された複数の表示装置（表示装置２００、表示装置３００）から構成される。
【００１５】
制御装置１００は、制御装置１００に接続された複数の表示装置である、表示装置２００及び表示装置３００に対する校正処理を制御し、校正結果の測定値を取得して、当該校正結果が所望の結果であるか否かを判定するための装置である。実施例１では、制御装置１００の一例としてパーソナルコンピュータ（以下、「ＰＣ」という）を用いる。なお、制御装置１００はＰＣに限らない。例えば、制御装置１００は、診断装置や画像生成装置などであってもよく、また、表示装置２００及び表示装置３００内に組み込まれたものであってもよい。
【００１６】
表示装置２００は、画像データに基づく画像を表示部２０５に表示するための装置であり、制御装置１００に接続される。本実施例では、表示装置２００の一例として、液晶モニタを用いる。
【００１７】
表示装置３００は、画像データに基づく画像を表示部３０５に表示するための装置であり、制御装置１００に接続される。実施例１では、表示装置３００の一例として、液晶モニタを用いる。
【００１８】
以下、制御装置１００を「ＰＣ１００」、表示装置２００を「モニタ２００」、表示装置３００を「モニタ３００」と呼ぶ。
【００１９】
＜ＰＣ１００＞
次に、図１を参照して、ＰＣ１００の構成の一例を説明する。ＰＣ１００は、図１に示すように、ＣＰＵ１０１、出力部１０２、通信部１０３、操作入力部１０４、記憶部１０５を有する。
【００２０】
ＣＰＵ（Ｃｅｎｔｒａｌ  Ｐｒｏｃｅｓｓｉｎｇ  Ｕｎｉｔ）１０１は、記憶部１０５に格納されているコンピュータプログラムに従ってＰＣ１００全体の動作を制御する。出力部１０２は、ＣＰＵ１０１の指示に基づいて画像データを生成し、映像インタフェースなどを通じてモニタ２００、モニタ３００に画像データを供給する。
【００２１】
通信部１０３は、通信インタフェースを介した通信を制御する。通信部１０３は、ＣＰＵ１０１から供給されるデータや制御コマンドをモニタ２００、モニタ３００に送信する。なお、実施例１におけるモニタ２００、モニタ３００との通信は、通信インタフェースのプロトコルに準拠した通信コマンドなどを用いて行う。
【００２２】
操作入力部１０４は、マウスやキーボードなどの入力装置を介して行われたユーザ操作を認識し、ＣＰＵ１０１に供給する。記憶部１０５は、ハードディスクなどの不揮発性メモリを有する。また、記憶部１０５は、ＣＰＵ１０１のワークエリアとして機能する揮発性メモリを有する。記憶部１０５の不揮発性メモリには、制御プログラム１０６が格納されている。ＣＰＵ１０１は、制御プログラム１０６の各構成要素を揮発性メモリに読み出して動作させることができる。
【００２３】
制御プログラム１０６は、図１に示すように、表示処理部１０７、設定管理部１０８、校正処理部１０９、判定制御部１１０、判定基準生成部１１１を有するコンピュータプログラムである。制御プログラム１０６の各構成要素による処理の詳細は、後述する。
【００２４】
＜モニタ２００＞
次に、図１を参照して、モニタ２００の構成の一例を説明する。モニタ２００は、図１に示すように、ＣＰＵ２０１、入力部２０２、通信部２０３、表示処理部２０４、表示部２０５、光源制御部２０６、光源部２０７、色票表示部２０８、測定部２０９、記憶部２１０を有する。
【００２５】
ＣＰＵ２０１は、記憶部２１０に格納されているコンピュータプログラムに従ってモニタ２００全体の動作を制御する。入力部２０２は、映像インタフェースなどを通じてＰＣ１００より供給される画像データを、表示処理部２０４に供給する。通信部２０３は、通信インタフェースを介してＰＣ１００との通信を行う。通信部２０３がＰＣ１００から受信するデータや制御コマンドは、ＣＰＵ２０１に供給される。なお、実施例１におけるＰＣ１００との通信は、通信インタフェースのプロトコルに準拠した通信コマンドなどを用いて行う。
【００２６】
表示処理部２０４は、入力部２０２より供給される画像データ（入力画像データ；入力画像信号）に基づく画像を表示部２０５で表示可能となるよう、入力画像データの形式を変換する処理を行う演算装置である。また、表示処理部２０４は、記憶部２１０より色調整テーブルを読み出し、当該色調整テーブルに基づいて画像データの色を調整する処理も行う。変換後の画像データは、表示部２０５に供給される。なお、表示処理部２０４は、色票表示部２０８を含む。
【００２７】
表示部２０５は、液晶表示パネルなどの表示パネルから構成される。表示部２０５は、表示処理部２０４から供給される画像データに基づく画像を表示することができる。光源制御部２０６は、ＣＰＵ２０１から供給される光源部２０７の発光強度の情報に基づいて、光源部２０７を制御する演算装置である。光源部２０７は、表示パネルに対して照射する光を発する、例えばＬＥＤ（Ｌｉｇｈｔ  Ｅｍｉｔｔｉｎｇ  Ｄｉｏｄｅ）などの光源から構成される。
【００２８】
色票表示部２０８は、測定部２０９が表示部２０５の輝度特性を測定するための色票を、表示部２０５に表示する処理を行う演算装置である。測定部２０９は、表示部２０５の前面に対向して配置され、表示部２０５の輝度値を測定するセンサである。
【００２９】
記憶部２１０は、ＥＥＰＲＯＭなどの不揮発性メモリを有する。また、記憶部２１０は、ＣＰＵ２０１のワークエリアとして機能する揮発性メモリを有する。記憶部２１０の不揮発性メモリには、校正処理で作成された色調整テーブルや、光源制御部２０６が光源部２０７を制御するための発光強度の情報が格納されている。
【００３０】
＜モニタ３００＞
モニタ３００の構成については、図１を参照して説明したモニタ２００の構成と同様であるため、説明を省略する。
【００３１】
＜校正処理及び判定処理＞
次に、図２を参照して、本実施例に係る校正システムで行われる校正処理及び判定処理について説明する。図２は、本実施例に係る校正システムで行われる校正及び判定処理の一例を説明するためのフローチャートである。以下、校正処理及び判定処理を、単に処理という場合もある。
【００３２】
校正処理及び判定処理は、処理の対象として選択したモニタに対し、ＰＣ１００が校正処理を制御し、当該校正処理の校正結果が所望の結果であるか否かを判定する処理である。なお、校正処理及び判定処理は、ＰＣ１００、モニタ２００、モニタ３００の電源がオン状態である場合に、ＣＰＵ１０１が記憶部１０５に格納されている制御プログラム１０６を実行することによって制御される。校正処理及び判定処理は、ユーザがＰＣ１００に対して、当該処理の開始操作を行った場合に開始する。
【００３３】
ステップＳ１０１において、ＣＰＵ１０１は、校正処理及び判定処理の対象とするモニタをユーザが選択するための画面を含む画像データを生成するよう表示処理部１０７を制御し、生成された当該画像データを出力部１０２に供給する。ここで、図３を参照して、校正処理及び判定処理の対象とするモニタをユーザが選択するための画面の一例を説明する。
【００３４】
図３に示すように、モニタ選択画面４００は、モニタ選択部４０１、ペア設定部４０２、画面遷移操作部４０３を有する。モニタ選択部４０１は、処理対象とするモニタの候補を一覧表示してユーザが選択操作を入力可能なコントロール部品であり、例えば、チェックボックスなどで構成される。なお、処理対象のモニタの候補は、ＣＰＵ１０１が設定管理部１０８より取得し、表示処理部１０７に供給する。
【００３５】
ペア設定部４０２は、モニタ選択部４０１で選択する校正処理対象のモニタに対するペア設定について、ユーザが設定操作を入力可能なコントロール部品であり、例えば、チェックボックスなどで構成される。なお、ペア設定は、校正処理対象のモニタをペアとして用いることを示す設定である。ペア設定されたモニタ同士は、表示特性の一致度が求められる。
【００３６】
画面遷移操作部４０３は、モニタ選択画面４００における設定を終了して、ユーザが次の処理へ進むための操作を入力可能なコントロール部品であり、例えば、ボタンなどで構成される。
【００３７】
なお、モニタ選択画面４００において、モニタ選択部４０１でモニタが２台以上選択されていない場合は、ペア設定部４０２を不活性化させるなどにより、ペア設定できないようにしてもよい。また、モニタ選択画面４００において、モニタ選択部４０１でモニタが１台も選択されていない場合は、画面遷移操作部４０３を不活性化させるなどにより、次の処理へ進めないようにしてもよい。
【００３８】
ステップＳ１０１において、ユーザがモニタ選択画面４００においてモニタを選択後、操作入力部１０４から画面遷移操作部４０３へのユーザ操作が入力された場合、当該ユーザ操作が表示処理部１０７に通知される。そして、表示処理部１０７から、次の処理への遷移が、ＣＰＵ１０１に指示される。ＣＰＵ１０１が表示処理部１０７から次の処理への遷移を指示された場合、ＣＰＵ１０１はモニタ選択画面４００の各設定を記憶部１０５に記憶して、本フローチャートはステップＳ１０１からステップＳ１０２に進む。
【００３９】
ステップＳ１０２において、ＣＰＵ１０１は、校正処理対象のモニタがペア設定されているか否かを判定する。ここでの判定は、ＣＰＵ１０１が、ステップＳ１０１において記憶部１０５に記憶したペア設定を読み出して行う。校正処理対象のモニタがペア設定されている場合（ステップＳ１０２でＹＥＳの場合）、本フローチャートはステップＳ１０２からステップＳ１０３に進む。校正処理対象のモニタがペア設定されていない場合（ステップＳ１０２でＮＯの場合）、本フローチャートはステップＳ１０２からステップＳ１０９に進む。
【００４０】
校正処理対象のモニタがペア設定されている場合（ステップＳ１０２でＹＥＳの場合）、モニタ間の表示特性を一致させるため、校正の目標値として共通の値を設定する必要がある。なお、本実施例では、ステップＳ１０３からステップＳ１０８の処理については、ステップＳ１０１においてモニタ２００とモニタ３００とが選択され、かつ、ペア設定されたものとして説明する。
【００４１】
ステップＳ１０３において、ＣＰＵ１０１は、校正の目標値をユーザが設定するための画面を含む画像データを表示処理部１０７より生成し、出力部１０２に供給する。ここで、図４を参照して、校正の目標値をユーザが設定するための画面の一例を説明する。目標値設定画面５００は、図４に示すように、最大輝度設定部５０１、最小輝度設定部５０２、色温度設定部５０３、表示関数設定部５０４、設定範囲表示部５０５、画面遷移操作部５０６を有する。
【００４２】
最大輝度設定部５０１は、ユーザが校正の目標値としての最大輝度を入力可能なコントロール部品であり、例えば、テキストボックスなど構成される。最小輝度設定部５０２は、ユーザが校正の目標値としての最小輝度を入力可能なコントロール部品であり、例えば、テキストボックスなどで構成される。色温度設定部５０３は、ユーザが校正の目標値としての色温度を入力可能なコントロール部品であり、例えば、テキストボックスなどで構成される。
【００４３】
表示関数設定部５０４は、ユーザが校正の目標値としての表示関数を入力可能なコントロール部品であり、例えば、ラジオボタンなどで構成される。設定範囲表示部５０５は、最大輝度設定部５０１、最小輝度設定部５０２、色温度設定部５０３に入力可能な値の範囲を表示する部品であり、例えば、スタティックテキストなどで構成される。なお、それぞれの値の範囲は、ＣＰＵ１０１が設定管理部１０８より取得し、表示処理部１０７に供給する。
【００４４】
画面遷移操作部５０６は、目標値設定画面５００における設定を終了して、ユーザが次の処理へ進むための操作を入力可能なコントロール部品であり、例えば、ボタンなどで構成される。なお、目標値設定画面５００において、最大輝度設定部５０１、最小輝度設定部５０２、色温度設定部５０３、表示関数設定部５０４のいずれかが未入力である場合は、画面遷移操作部５０６を不活性化させるなどにより、次の処理へ進めないようにしてもよい。
【００４５】
なお、ステップＳ１０３では、設定管理部１０８で管理する最大輝度設定部５０１、最小輝度設定部５０２、色温度設定部５０３に入力可能な値の範囲は、ステップＳ１０１においてユーザが選択したモニタの個体差を加味して調整されるものであってもよい。例えば、予めモニタ毎に値の範囲を記憶しておき、モニタ２００及びモニタ３００についての値の範囲のＡＮＤを取って適用してもよい。
【００４６】
ステップＳ１０３において、モニタ２００及びモニタ３００に共通の目標値を設定後、共通の操作入力部１０４から画面遷移操作部５０６へのユーザ操作が入力された場合、当該ユーザ操作が表示処理部１０７に通知される。そして、表示処理部１０７から次の処理への遷移が、ＣＰＵ１０１に指示される。ＣＰＵ１０１が表示処理部１０７から次の処理への遷移を指示された場合、ＣＰＵ１０１は目標値設定画面５００の各設定をモニタ２００及びモニタ３００の目標値として記憶部１０５に記憶して、本フローチャートはステップＳ１０３からステップＳ１０４に進む。
【００４７】
ステップＳ１０４において、ＣＰＵ１０１は、モニタ２００及びモニタ３００に対して、ステップＳ１０３においてユーザが設定した目標値に基づいて、校正処理部１０９による校正処理を実行させる制御を行う。ステップＳ１０４における校正処理は、モニタ２００及びモニタ３００の記憶部２１０、３１０に記憶される色調整テーブルについて、目標値と測定部２０９、３０９による測定値とに基づいて更新する、いわゆるキャリブレーション処理である。キャリブレーション処理については公知であるため説明を省略する。校正処理部１０９によるモニタ２００及びモニタ３００に対する校正処理が終了した場合、本フローチャートはステップＳ１０４からステップＳ１０５に進む。
【００４８】
ステップＳ１０５において、ＣＰＵ１０１は、モニタ２００及びモニタ３００に対して、判定制御部１１０による測定処理を実行させる制御を行う。ステップＳ１０５における測定処理は、モニタ２００及びモニタ３００の輝度特性（表示特性）を測定する処理であり、詳細については後述する。判定制御部１１０によるモニタ２００及びモニタ３００に対する測定処理が終了した場合、ＣＰＵ１０１はモニタ２００及びモニタ３００の輝度特性を記憶部１０５に記憶して、本フローチャートはステップＳ１０５からステップＳ１０６に進む。
【００４９】
ステップＳ１０６において、ＣＰＵ１０１は、校正処理対象のモニタの中から、基準となるモニタである基準モニタ（基準表示装置）を１台選択する。ここでの選択方法は任意であり、例えば、ステップＳ１０４またはステップＳ１０５の処理が先に終了したモニタを選択してもよいし、予め記憶部１０５にモニタ毎の優先度を記憶しておき、優先度に従ってモニタを選択してもよい。また、ユーザが基準モニタを設定してもよい。本実施例では、ＣＰＵ１０１がモニタ２００を基準として選択したものとして説明する。ステップＳ１０６において、ＣＰＵ１０１は、記憶部１０５より第１の判定基準の範囲を読み出し、判定制御部１１０により、モニタ２００の輝度特性が第１の判定基準の範囲内か否かを判定する。本実施例では、第１の判定基準の範囲として、医療用モニタの品質管理ガイドラインなどに規定されるコントラスト応答の基準値を適用するものとする。
【００５０】
ここで、参考までに、医用画像表示用モニタの品質管理に関するガイドラインであるＪＥＳＲＡ  Ｘ−００９３（以下、単にＪＥＳＲＡ  Ｘ−００９３という）の管理グレード１で規定される基準値を用いる場合について説明する。ＪＥＳＲＡ  Ｘ−００９３の管理グレード１においては、コントラスト応答ｋδ≦±１５％と規定されているため、モニタ２００の輝度特性が、この範囲（第１の判定基準の範囲：目標値≦±１５％）内か否かを判定することとなる。判定制御部１１０による判定が終了した場合、本フローチャートはステップＳ１０６からステップＳ１０７に進む。
【００５１】
なお、本実施例では、第１の判定基準の範囲を目標値≦±１５％と設定しているが、これに限らない。第１の判定基準の範囲は、目標値≦±２０％でもよいし、目標値≦±１０％でもよい。また、本実施例では、第１の判定基準の範囲は、予め記憶部１０５に記憶されているが、これに限らない。ユーザが、第１の判定基準の範囲を設定してもよい。
【００５２】
また、ステップＳ１０６において、モニタ２００の輝度特性が、第１の判定基準の範囲内でない場合がある。この場合、図示はしていないが、モニタ２００の輝度特性が第１の判定基準の範囲内に収まるよう、モニタ２００に対して、ステップＳ１０４からステップＳ１０６までの処理を繰り返し実行すればよい。または、ステップＳ１０６において、モニタ２００の輝度特性が、第１の判定基準の範囲内でない場合、モニタ２００の輝度特性が第１の判定基準の範囲内に収まるよう、モニタ２００に対して、ステップＳ１０３からステップＳ１０６までの処理を繰り返し実行してもよい。この場合、モニタ３００に対しても、ステップＳ１０３からステップＳ１０６までの処理を再度行えばよい。
【００５３】
なお、モニタ２００に対して、ステップＳ１０３からステップＳ１０６までの処理、または、ステップＳ１０４からステップＳ１０６までの処理を繰り返し実行しても、モニタ２００の輝度特性が第１の判定基準の範囲内に収まらない場合がある。この場合、例えば、モニタ２００の輝度特性が第１の判定基準の範囲内に収まらず、モニタ２００の品質が低下している旨をユーザに知らせる通知を行い、本フローチャートは、ステップＳ１０６からステップＳ１０７に進まず、終了してもよい。
【００５４】
ステップＳ１０７において、ＣＰＵ１０１は、ステップＳ１０５において測定したモニタ２００の輝度特性を用いて、第２の判定基準の範囲を判定基準生成部１１１により生成する処理を実行させるための制御を行う。第２の判定基準の範囲の詳細については後述する。判定基準生成部１１１による第２の判定基準の生成処理が終了した場合、ＣＰＵ１０１は第２の判定基準の範囲を記憶部１０５に記憶して、本フローチャートはステップＳ１０７からステップＳ１０８に進む。
【００５５】
ステップＳ１０８において、ＣＰＵ１０１は、ステップＳ１０７で生成した第２の判定基準の範囲を用いて、ステップＳ１０６で基準モニタとして選択していないモニタ３００（基準表示装置以外の表示装置）の輝度特性に関する、判定制御部１１０による判定処理を実行させる制御を行う。具体的には、判定制御部１１０は、基準モニタとして選択していないモニタ３００の輝度特性が、後述する第２の判定基準の範囲内か否かを判定する。判定制御部１１０による判定処理が終了した場合、本フローチャートを終了する。
【００５６】
校正処理対象のモニタがペア設定されていない場合（ステップＳ１０２でＮＯの場合）、校正処理対象のモニタ毎に校正の目標値を設定する必要がある。なお、本実施例では、ステップＳ１０９からステップＳ１１２の処理について、ステップＳ１０１においてモニタ２００とモニタ３００とが選択され、かつペア設定されなかったものとして説明する。
【００５７】
ステップＳ１０９において、ＣＰＵ１０１は、モニタ２００に対する校正の目標値をユーザが設定するための画面を含む画像データを表示処理部１０７より生成し、出力部１０２に供給する。ここでの画面については、ステップＳ１０３の画面と同様の構成であるため、当該画面に関する説明は省略し、以後、図４に示す符号を用いて説明を続ける。
【００５８】
操作入力部１０４から画面遷移操作部５０６へのユーザ操作が入力された場合、当該ユーザ操作が表示処理部１０７に通知され、表示処理部１０７から次の処理への遷移がＣＰＵ１０１に指示される。ＣＰＵ１０１が表示処理部１０７から次の処理への遷移を指示された場合、ＣＰＵ１０１は目標値設定画面５００の各設定をモニタ２００の目標値として記憶部１０５に記憶する。次に、ＣＰＵ１０１は、モニタ３００に対する校正の目標値をユーザが設定するための画面を含む画像データを表示処理部１０７より生成し、出力部１０２に供給する。ここでの画面についても、ステップＳ１０３の画面と同様の構成であるため、当該画面に関する説明は省略し、以後、図４に示す符号を用いて説明を続ける。
【００５９】
操作入力部１０４から画面遷移操作部５０６へのユーザ操作が入力された場合、当該ユーザ操作が表示処理部１０７に通知され、表示処理部１０７から次の処理への遷移がＣＰＵ１０１に指示される。ＣＰＵ１０１が表示処理部１０７から次の処理への遷移を指示された場合、ＣＰＵ１０１は目標値設定画面５００の各設定をモニタ３００の目標値として記憶部１０５に記憶して、本フローチャートはステップＳ１０９からステップＳ１１０に進む。
【００６０】
ステップＳ１１０において、ＣＰＵ１０１は、モニタ２００及びモニタ３００に対し、ステップＳ１０９においてユーザが設定した目標値に基づいて、校正処理部１０９による校正処理を実行させる制御を行う。ステップＳ１１０における校正処理は、モニタ２００及びモニタ３００の記憶部２１０、３１０に記憶される色調整テーブルについて、目標値と測定部２０９、３０９による測定値に基づいて更新するキャリブレーション処理である。校正処理部１０９によるモニタ２００及びモニタ３００に対する校正処理が終了した場合、本フローチャートはステップＳ１１０からステップＳ１１１に進む。
【００６１】
ステップＳ１１１において、ＣＰＵ１０１は、モニタ２００及びモニタ３００に対し、判定制御部１１０による測定処理を実行させる制御を行う。ステップＳ１１１における測定処理は、モニタ２００及びモニタ３００の輝度特性を測定する処理であり、詳細については後述する。判定制御部１１０によるモニタ２００及びモニタ３００に対する測定処理が終了した場合、ＣＰＵ１０１はモニタ２００及びモニタ３００の輝度特性を記憶部１０５に記憶して、本フローチャートはステップＳ１１１からステップＳ１１２に進む。
【００６２】
ステップＳ１１２において、ＣＰＵ１０１は、記憶部１０５より第１の判定基準の範囲を読み出し、判定制御部１１０により、モニタ２００及びモニタ３００の輝度特性が第１の判定基準の範囲内か否かを判定する。ここで、実施例１では、第１の判定基準の範囲として医療用モニタの品質管理ガイドラインなどに規定されるコントラスト応答の基準値を適用するものとする。
【００６３】
ここで、参考までに、ＪＥＳＲＡ  Ｘ−００９３の管理グレード１で規定される基準値を用いる場合について説明する。ＪＥＳＲＡ  Ｘ−００９３の管理グレード１では、コントラスト応答ｋδ≦±１５％と規定されているため、モニタ２００及びモニタ３００の輝度特性がこの範囲内か否かを判定することとなる。判定制御部１１０による判定が終了した場合、本フローチャートを終了する。
【００６４】
＜測定処理＞
次に、図５を参照して、本実施例に係る校正システムで行われる測定処理について説明する。図５は、本実施例に係る校正システムで行われる測定処理の一例を説明するためのフローチャートである。なお、測定処理は、校正処理の結果が所望の結果か否かを判定するために、ＰＣ１００がモニタ２００及びモニタ３００の輝度特性を測定部２０９に測定させ、当該測定の結果を取得する処理である。また、測定処理は、図２におけるステップＳ１０５及びステップＳ１１１にて行う処理である。
【００６５】
輝度特性を測定するための処理の内容としては、モニタ２００及びモニタ３００に色票を表示させて輝度値の測定を行うことを全色票数だけ繰り返すものとなる。なお、ＰＣ１００とモニタ２００との間、ＰＣ１００とモニタ３００との間で行われる測定処理の内容は同様であるため、ここでは、ＰＣ１００とモニタ２００との間で行われる測定処理についてのみ説明することとする。
【００６６】
なお、測定処理は、ＣＰＵ１０１が記憶部１０５に格納されている制御プログラム１０６における判定制御部１１０を実行することによって制御される。測定処理は、ＣＰＵ１０１が判定制御部１１０に校正処理対象のモニタを通知し、ＣＰＵ１０１が判定制御部１１０に測定処理の開始を指示することにより開始される。以下、説明の簡略化のため、ＣＰＵ１０１から判定制御部１１０への指示については説明を省略し、制御の主体を判定制御部１１０として説明する。
【００６７】
ステップＳ２０１において、判定制御部１１０は、記憶部１０５に記憶される内部変数ｎに対して０を設定して、本フローチャートはステップＳ２０１からステップＳ２０２に進む。
【００６８】
ステップＳ２０２において、判定制御部１１０は、測定部２０９による、全ての色票に対する測定が終了したか否かを判断する。ここでの判断は、内部変数ｎが、記憶部１０５に記憶される全色票数より小さいか否かを判断することにより行う。なお、実施例１では、全色票数として医療用モニタの品質管理ガイドラインなどに規定されるコントラスト応答の測定点数を適用するものとする。
【００６９】
ここで、参考までに、ＪＥＳＲＡ  Ｘ−００９３で規定されるコントラスト応答の測定点数を用いる場合について説明する。ＪＥＳＲＡ  Ｘ−００９３ではコントラスト応答の測定点数は１８点と規定されているため、本実施例では、内部変数ｎが１８より小さいか否かを判断することとなる。内部変数ｎが全色票数より小さい場合（ステップＳ２０２でＹＥＳの場合）、本フローチャートはステップＳ２０２からステップＳ２０３に進む。内部変数ｎが全色票数以上の場合（ステップＳ２０２でＮＯの場合）、本フローチャートはステップＳ２０２からステップＳ２０６に進む。
【００７０】
内部変数ｎが全色票数より小さい場合（ステップＳ２０２でＹＥＳの場合）、全ての色票に対する測定が終了していないため、測定を終了していない色票（以下、「色票［ｎ］」という）の表示及び測定を、モニタ２００に対して指示する必要がある。本実施例では、色票［ｎ］として、医療用モニタの品質管理ガイドラインなどに規定される、コントラスト応答の測定に用いるテストパターンに相当する色票を適用するものとする。例えば、ＪＥＳＲＡ  Ｘ−００９３で規定される、コントラスト応答の測定に用いるテストパターンに相当する色票を用いる場合、色票［ｎ］として、ＴＧ１８−ＬＮ［ｎ］相当の色票を適用することとなる。
【００７１】
そこで、ステップＳ２０３において、判定制御部１１０は、モニタ２００に対して色票［ｎ］の表示を指示するための通信コマンド（以下、「通信コマンド［ｎ］」という）を生成し、通信部１０３に供給する。通信コマンド［ｎ］が通信部１０３に供給された場合、通信部１０３は、通信インタフェースを介して、通信コマンド［ｎ］を通信部２０３に送信する。
【００７２】
通信部２０３が通信コマンド［ｎ］を受信した場合、通信部２０３は、通信コマンド［ｎ］をＣＰＵ２０１に供給する。通信コマンド［ｎ］がＣＰＵ２０１に供給された場合、ＣＰＵ２０１は、色票［ｎ］を表示部２０５に表示するよう色票表示部２０８に指示する。色票［ｎ］の表示を指示された場合、色票表示部２０８は、表示部２０５に色票［ｎ］を表示して、本フローチャートはステップＳ２０３からステップＳ２０４に進む。
【００７３】
なお、本実施例では、表示部２０５に表示する色票の位置（座標）や大きさについては特に規定しない。表示部２０５に表示する色票は、少なくとも、測定部２０９が輝度を測定可能な大きさで、測定部２０９が輝度を測定可能な位置に表示されればよい。
【００７４】
ステップＳ２０４において、判定制御部１１０は、モニタ２００に対して色票の測定を指示するための通信コマンド（以下、「測定コマンド」という）を生成し、通信部１０３に供給する。測定コマンドが通信部１０３に供給された場合、通信部１０３は、通信インタフェースを介して測定コマンドを通信部２０３に送信する。
【００７５】
通信部２０３が測定コマンドを受信した場合、通信部２０３は、測定コマンドをＣＰＵ２０１に供給する。測定コマンドがＣＰＵ２０１に供給された場合、ＣＰＵ２０１は、表示部２０５の輝度値を測定するよう測定部２０９に指示する。測定を指示された場合、測定部２０９は、表示部２０５の輝度値を測定し、測定した輝度値をＣＰＵ２０１に供給する。なお、測定部２０９により表示部２０５の輝度値を測定する処理の詳細については、公知であるため説明を省略する。
【００７６】
輝度値がＣＰＵ２０１に供給された場合、ＣＰＵ２０１は、ＰＣ１００に対して輝度値を通知するための通信コマンド（以下、「測定コマンド応答」という）を生成し、通信部２０３に供給する。測定コマンド応答が通信部２０３に供給された場合、通信部２０３は、通信インタフェースを介して、測定コマンド応答を通信部１０３に送信する。
【００７７】
通信部１０３が測定コマンド応答を受信した場合、通信部１０３は、測定コマンド応答を判定制御部１１０に供給する。測定コマンド応答が判定制御部１１０に供給された場合、判定制御部１１０は、測定コマンド応答より輝度値を解析し、輝度値を記憶部１０５に記憶して、本フローチャートはステップＳ２０４からステップＳ２０５に進む。
【００７８】
ステップＳ２０５において、判定制御部１１０は、記憶部１０５に記憶される内部変数ｎをインクリメントして、本フローチャートはステップＳ２０５からステップＳ２０２に進む。
【００７９】
内部変数ｎが全色票数以上の場合（ステップＳ２０２でＮＯの場合）、全ての色票に対する測定が終了しているため、モニタ２００に表示した色票を消去するようモニタ２００に対して指示する必要がある。そこで、ステップＳ２０６において、判定制御部１１０は、モニタ２００に対し色票の消去を指示するための通信コマンド（以下、「消去コマンド」という）を生成し、通信部１０３に供給する。
【００８０】
消去コマンドが通信部１０３に供給された場合、通信部１０３は、通信インタフェースを介して消去コマンドを通信部２０３に送信する。通信部２０３が消去コマンドを受信した場合、通信部２０３は、消去コマンドをＣＰＵ２０１に供給する。消去コマンドがＣＰＵ２０１に供給された場合、ＣＰＵ２０１は、表示部２０５に表示した色票を消去するよう色票表示部２０８に指示する。色票の消去を指示された場合、色票表示部２０８は、表示部２０５に表示した色票を消去して、本フローチャートを終了する。
【００８１】
なお、本実施例では、ステップＳ２０６で色票を消去する例を説明したが、これに限らない。例えば、ステップＳ２０４における測定の終了後に、色票を消去してもよい。
【００８２】
＜第２の判定基準の範囲＞
次に、図６を参照して、本実施例に係る校正システムで行われる校正、及び、判定処理のステップＳ１０７にて生成する第２の判定基準の範囲の一例を説明する。図６は、第１の判定基準の範囲及び第２の判定基準の範囲の一例を示したグラフである。グラフの横軸はデジタル駆動レベル（ＤＤＬ：Ｄｉｇｉｔａｌ  Ｄｒｉｖｉｎｇ  Ｌｅｖｅｌ）を表し、縦軸は輝度値を表す。
【００８３】
図６（ａ）の実線６０１は、校正の目標値をプロットした曲線を示し、点線の範囲６０２は、第１の判定基準の範囲を示している。図６（ａ）に示すように、第１の判定基準の範囲は、校正の目標値に基づいて生成する評価値である。
【００８４】
図６（ｂ）の実線６０３は、モニタ２００の輝度特性を示しており、これは図５を参照して説明した測定処理により得られる輝度値をプロットして直線で結んだものである。図６（ｂ）の点線の範囲６０４は、第２の判定基準の範囲を示している。図６（ｂ）に示すように、第２の判定基準の範囲は、第１の判定基準の範囲内に収まる、校正後のモニタ２００の輝度特性に基づいて生成する評価値に基づく範囲である。言い換えれば、モニタ３００の校正結果の判定基準の範囲である第２の判定基準の範囲は、モニタ２００の校正結果に基づいて設定される。
【００８５】
なお、第２の判定基準の範囲は、第１の判定基準の範囲よりも狭い範囲を用いることが望ましい。つまり、点線の範囲６０２よりも点線の範囲６０４が狭くなるように、第２の判定基準の範囲が設定されることが望ましい。
【００８６】
ここで、参考までに、第１の判定基準の範囲としてＪＥＳＲＡ  Ｘ−００９３の管理グレード１で規定される基準値を用いる場合について説明すると、第１の判定基準の範囲は、校正の目標値≦±１５％となる。よって、第２の判定基準の範囲としては、これよりも狭い範囲として、例えば、本実施例では、モニタ２００の輝度特性（基準表示装置の輝度特性）≦±３％を適用する。なお、第２の判定基準の範囲は、基準モニタの輝度特性≦±３％には限らない。例えば、第２の判定基準の範囲は、基準モニタの輝度特性≦±４％であってもよいし、基準モニタの輝度特性≦±２％であってもよい。
【００８７】
本実施例では、第２の判定基準の範囲である「基準モニタの輝度特性≦±α％」のαの値は、予め記憶部１０５に記憶されているものとするが、これに限らない。ユーザが、αの値を設定してもよい。
【００８８】
以上のように設定された第２の判定基準の範囲内に、基準モニタとして選択されていないモニタ３００の輝度特性が収まる場合、モニタ２００の表示特性とモニタ３００の表示特性の一致の度合い（類似の度合い；類似度）が高いと言える。言い換えれば、第２の判定基準の範囲内に、基準モニタとして選択されていないモニタ３００の輝度特性が収まる場合、モニタ２００の表示特性とモニタ３００の表示特性の類似度が、所望の類似度となると言える。つまり、モニタ２００の表示特性とモニタ３００の表示特性とが、近い表示特性である（モニタ間で表示特性が近い）と言える。
【００８９】
以上、説明したように、本実施例に係る校正システムにおいて、基準モニタではない少なくとも１台のモニタの校正結果を、基準モニタの校正結果に基づいて生成された第２の判定基準の範囲に基づいて判定するようにした。より具体的には、本実施例に係る校正システムにおいて、ペアとして用いるモニタに対する校正結果を判定する場合に、校正後の基準モニタを測定して得られた輝度特性に基づいて、基準モニタとして選択されていない他方のモニタにおける校正結果の判定基準の範囲（第２の判定基準の範囲）を生成し、当該他方のモニタの校正結果が所望の結果か否か（第２の判定基準の範囲内か否か）を判定するようにした。そうすることで、この判定結果に基づき、モニタ間の表示特性の類似度が所望の類似度であるかどうか（モニタ間の表示特性の類似度が高いかどうか；モニタ間の表示特性が近いかどうか）を判断することが可能となる。その結果、複数の表示装置に対する表示特性の校正処理を行う場合におけるユーザの利便性が、向上する。
【００９０】
なお、本実施例では、校正の目標値として最大輝度、最小輝度、色温度、表示関数を設定する例を説明したが、これに限らない。例えば、色度など、他の指標を目標値として設定するようにしてもよい。
【００９１】
また、本実施例では、校正結果を判定した結果、校正結果が判定基準の範囲内に収まる場合の動作については特に規定していないが、ユーザに対して、構成対象のモニタの校正結果が、判定基準の範囲内に収まっていることを通知するようにしてもよい。具体的には、ユーザに対して、モニタ間の表示特性が、所望の類似度を満たす旨を通知する通知画像を、少なくとも一方のモニタに表示してもよい。また、通知は、画像による通知に限らない。モニタが備えるランプを用いて、光で通知してもよいし、音声で通知してもよい。
【００９２】
また、本実施例では、校正結果を判定した結果、校正結果が判定基準の範囲内に収まらない場合の動作については特に規定していないが、例えば、色調整テーブルを校正処理実施前の状態にロールバックするようにしてもよい。また、例えば、ユーザに対して、構成対象のモニタの校正結果が、判定基準の範囲内に収まらなかったことを通知するようにしてもよい。具体的には、ユーザに対して、モニタ間の表示特性が、所望の類似度を満たさない旨を通知する通知画像を、少なくとも一方のモニタに表示してもよい。また、通知は、画像による通知に限らない。モニタが備えるランプを用いて、光で通知してもよいし、音声で通知してもよい。このような通知により、ユーザが、モニタ間の表示特性が、所望の類似度を満たさないことを認識することができ、再度、ユーザ指示に基づき、基準モニタではないモニタに対してキャリブレーションを行うことができる。その結果、モニタ間の類似度をより近づけることができ、複数の表示装置に対する表示特性の校正処理を行う場合におけるユーザの利便性が、さらに向上する。
【００９３】
また、所望の類似度を満たす旨の通知、及び、所望の類似度を満たさない旨の通知の、両方の通知を行う構成であってもよい。また、所望の類似度を満たす旨の通知、及び、所望の類似度を満たさない旨の通知の、少なくともいずれかの通知を、ユーザが設定できる構成であってもよい。例えば、所望の類似度を満たす場合にのみ通知を行う第１の通知モード、所望の類似度を満たさない場合にのみ通知を行う第２の通知モード、及び、所望の類似度を満たす場合と満たさない場合の両方の場合においても通知を行う第３の通知モード、のいずれかの通知モードをユーザが設定できる構成であってもよい。
【００９４】
また、本実施例では、校正及び判定処理におけるステップＳ１０６の判定結果に関わらず、ステップＳ１０６の以降の処理が行われる例を説明したが、これに限らない。例えば、ステップＳ１０６において校正結果が第１の判定基準の範囲内に収まらない場合には、ステップＳ１０６の以降の処理を行わないようにしてもよい。また、本実施例では、基準モニタ以外のモニタは、第２の判定基準の範囲でのみ校正結果を判定する例を説明したが、これに限らない。例えば、第１の判定基準と第２の判定基準の両方を用いて、基準モニタ以外のモニタの校正結果を判定するようにしてもよい。
【００９５】
また、本実施例では、モニタ２００、モニタ３００が、色票表示部２０８、色票表示部３０８を備え、測定処理のステップＳ２０３にてＰＣ１００が、通信部１０３を介し色票の表示を指示する例を説明したが、これに限らない。例えば、ＰＣ１００が出力部１０２を介してモニタ２００、モニタ３００に色票を供給するようにしてもよい。
【００９６】
また、本実施例では、モニタ２００、モニタ３００が測定部２０９、測定部３０９を備え、測定処理のステップＳ２０４にてＰＣ１００が、通信部１０３を介して測定を指示する例を説明したが、これに限らない。例えば、ＰＣ１００が測定部を備え、モニタ２００、モニタ３００の表示部２０５、表示部３０５の輝度値を測定するようにしてもよい。
【００９７】
また、本実施例では、測定処理のステップＳ２０４において、輝度値を測定する例を説明したが、これに限らない。例えば、輝度値の代わりに、色を測定して、色に関する判定基準の範囲に基づいて校正結果を判定してもよい。
【００９８】
［実施例２］
実施例２では、ユーザがより意図するモニタの用途（モニタの使用モード）を加味した評価値を生成するため、実施例１で説明した第２の判定基準の範囲にさらに重みづけを行う例について説明する。本実施例における校正システムは、実施例１と同様の構成のため、図１に示す符号を用いて説明することとし、実施例２における校正システムの構成についての説明は省略する。
【００９９】
＜校正及び判定処理＞
図７を参照して、本実施例に係る校正システムで行われる校正及び判定処理について説明する。図７は、本実施例に係る校正システムで行われる校正及び判定処理の一例を説明するためのフローチャートである。なお、本実施例における校正及び判定処理において、実施例１と同様の処理については図２に示す符号を付し、説明を省略する。
【０１００】
校正及び判定処理は、ユーザが校正及び判定処理の対象として選択したモニタに対し、ＰＣ１００が校正処理を制御し、校正結果が所望の結果か否かを判定する処理である。なお、校正及び判定処理は、ＰＣ１００、モニタ２００、モニタ３００の電源がオン状態である場合に、ＣＰＵ１０１が記憶部１０５に格納されている制御プログラム１０６を実行することによって制御される。校正及び判定処理は、ユーザがＰＣ１００に対し処理の開始操作を行った場合に開始する。
【０１０１】
ステップＳ３０１において、ＣＰＵ１０１は、処理の対象とするモニタの用途（モニタの使用モード）をユーザが選択するための画面を含む画像データを表示処理部１０７から生成し、出力部１０２に供給する。ここで、図８を参照して、画面の一例を説明する。図８は、本実施例に係るモニタの、モニタ用途選択画面（使用モード選択画面）を説明するための図である。モニタ用途選択画面７００は、図８に示すように、第１の用途選択部７０１、第２の用途選択部７０２、第３の用途選択部７０３、画面遷移操作部７０４を有する。
【０１０２】
第１の用途選択部７０１は、ユーザが高階調の見えを優先する用途でモニタを使用することを選択するためのコントロール部品である。高階調の見えを優先する用途としては、例えば、ユーザが、２台のモニタに表示した画像の、特に白色部分を比較する用途などが考えられる。この場合、高階調に対する校正の精度が求められる。
【０１０３】
第２の用途選択部７０２は、ユーザが中間階調の見えを優先する用途でモニタを使用することを選択するためのコントロール部品である。中間階調の見えを優先する用途としては、例えば、ユーザが、２台のモニタに表示した画像の、特にグレー部分を比較する用途などが考えられる。この場合、中間階調に対する校正の精度が求められる。
【０１０４】
第３の用途選択部７０３は、ユーザが低階調の見えを優先する用途でモニタを使用することを選択するためのコントロール部品である。低階調の見えを優先する用途としては、例えば、ユーザが、２台のモニタに表示した画像の、特に黒色部分を比較する用途などが考えられる。この場合、低階調に対する校正の精度が求められる。
【０１０５】
なお、第１の用途選択部７０１、第２の用途選択部７０２、第３の用途選択部７０３への選択操作はそれぞれ排他の関係となっているものとし、例えば、ラジオボタンで構成される。なお、第１の用途選択部７０１、第２の用途選択部７０２、第３の用途選択部７０３への選択操作はそれぞれ排他の関係でなくてもよく、それぞれを自由に組み合わせて選択できるようにしてもよい。
【０１０６】
画面遷移操作部７０４は、モニタ用途選択画面７００における設定を終了して、ユーザが次の処理へ進むための操作を入力可能なコントロール部品であり、例えば、ボタンなどで構成される。
【０１０７】
操作入力部１０４から、画面遷移操作部７０４に対するユーザ操作が入力された場合、当該ユーザ操作が表示処理部１０７に通知され、表示処理部１０７からＣＰＵ１０１に対して、次の処理への遷移の指示がなされる。ＣＰＵ１０１が表示処理部１０７から次の処理への遷移の指示がなされた場合、ＣＰＵ１０１はモニタ用途選択画面７００の設定をモニタ用途として記憶部１０５に記憶して、本フローチャートはステップＳ３０１からステップＳ１０４に進む。
【０１０８】
ステップＳ３０２において、ＣＰＵ１０１は、ステップＳ３０１において記憶部１０５に記憶したモニタ用途と、ステップＳ１０５において測定したモニタ２００の輝度特性とを用いて、判定基準生成部１１１が第２の判定基準の範囲を生成するよう制御する。第２の判定基準の範囲の詳細については後述する。判定基準生成部１１１による第２の判定基準の範囲の生成が終了した場合、ＣＰＵ１０１は第２の判定基準の範囲を記憶部１０５に記憶して、本フローチャートはステップＳ３０２からステップＳ１０８に進む。
【０１０９】
＜第２の判定基準の範囲＞
次に、図９、図１０を参照して、本実施例に係る校正システムで行われる校正及び判定処理のステップＳ３０２にて生成する、第２の判定基準の範囲の一例を説明する。図９は、モニタ用途毎に生成する第２の判定基準の範囲の一例を示したグラフである。グラフの横軸はデジタル駆動レベル（ＤＤＬ：Ｄｉｇｉｔａｌ  Ｄｒｉｖｉｎｇ  Ｌｅｖｅｌ）を表し、縦軸は輝度値を表す。なお、本実施例における第２の判定基準の範囲において、実施例１と同様の情報については図６（ｂ）に示す符号を付し、説明を省略する。
【０１１０】
図９（ａ）は、校正及び判定処理のステップＳ３０１にてユーザが第１の用途選択部７０１を選択した場合に生成する第２の判定基準の範囲を示している。Ｄ１からＤ２の範囲８０１は、高階調の範囲を示し、例えば、Ｄ１＝１７０、Ｄ２＝２５５とする。点線の範囲８０４は、範囲８０１における第２の判定基準の範囲を示している。図９（ａ）に示すように、点線の範囲８０４には、点線の範囲６０４よりも狭い範囲を適用する。例えば、点線の範囲６０４として基準モニタの輝度特性≦±３％を用いる場合は、点線の範囲８０４としては基準モニタの輝度特性≦±２％を適用する。
【０１１１】
図９（ｂ）は、校正及び判定処理のステップＳ３０１にてユーザが第２の用途選択部７０２を選択した場合に生成する第２の判定基準の範囲を示している。Ｄ３からＤ４の範囲８０２は中間階調の範囲を示し、例えば、Ｄ３＝８５、Ｄ４＝１７０とする。点線の範囲８０５は、範囲８０２における第２の判定基準の範囲を示している。図９（ｂ）に示すように、点線の範囲８０５には、点線の範囲６０４よりも狭い範囲を適用する。例えば、点線の範囲６０４として基準モニタの輝度特性≦±３％を用いる場合は、点線の範囲８０５としては基準モニタの輝度特性≦±２％を適用する。
【０１１２】
図９（ｃ）は、校正及び判定処理のステップＳ３０１にてユーザが第３の用途選択部７０３を選択した場合に生成する第２の判定基準の範囲を示している。Ｄ５からＤ６の範囲８０３は低階調の範囲を示し、例えば、Ｄ５＝０、Ｄ６＝８５とする。点線の範囲８０６は、範囲８０３における第２の判定基準の範囲を示している。図９（ｃ）に示すように、点線の範囲８０６には、点線の範囲６０４よりも狭い範囲を適用する。例えば、点線の範囲６０４として基準モニタの輝度特性≦±３％を用いる場合は、点線の範囲８０６としては基準モニタの輝度特性≦±２％を適用する。
【０１１３】
なお、図１０は、校正及び判定処理のステップＳ３０１にてユーザが選択したモニタ用途毎に対応付けられる、デジタル駆動レベルの範囲の一例を示している。このような対応情報を予め記憶部１０５に記憶しておき、校正及び判定処理のステップＳ３０２にて判定基準生成部１１１が読み出すことによって、図９に示すような第２の判定基準の範囲を生成することができる。
【０１１４】
以上、説明したように、本実施例に係る校正システムにおいて、第２の判定基準の範囲として、ユーザの意図するモニタの用途を加味した評価値を生成するようにした。これにより、モニタ間の表示特性の類似度の判定を、モニタの用途に応じて（モニタの使用モードに応じて）より厳しい判定基準で行うことが可能となる。その結果、複数の表示装置に対する表示特性の校正処理を行う場合におけるユーザの利便性が、さらに向上する。
【０１１５】
なお、本実施例では、モニタ用途選択画面７００において、第１の用途選択部７０１、第２の用途選択部７０２、第３の用途選択部７０３を選択する例を説明したが、例えば、図９におけるＤ１からＤ６の値を、ユーザが自由に設定できるようにしてもよい。
【０１１６】
また、本実施例では、モニタ用途毎に第２の判定基準の範囲の生成方法を切り換える例を説明したが、第１の判定基準の範囲についても同様に、モニタ用途毎に範囲を変更してもよい。
【０１１７】
また、本実施例では、モニタ用途として選択した階調に対応する第２の判定基準の範囲を狭くし、モニタ用途として選択していない階調に対応する第２の判定基準の範囲は変更しない例を説明したが、これに限らない。例えば、モニタ用途として選択していない階調に対応する第２の判定基準の範囲を狭くしてもよいし、広くするように制御してもよい。本実施例では、少なくとも、モニタ用途として選択した階調に対応する第２の判定基準の範囲が狭くなるように制御すればよい。
【０１１８】
［実施例３］
実施例３では、実施例１で説明した校正及び判定処理において、校正結果を判定した結果、校正結果が第２の判定基準の範囲内に収まらない場合の動作の一例を説明する。なお、本実施例における校正システムは、実施例１と同様の構成のため、図１に示す符号を用いて説明することとし、構成についての説明は省略する。
【０１１９】
＜校正及び判定処理＞
図１１を参照して、本実施例に係る校正システムで行われる校正及び判定処理について説明する。図１１は、本実施例に係る校正システムで行われる校正及び判定処理の一例を説明するためのフローチャートである。なお、本実施例における校正及び判定処理において、実施例１と同様の処理については図２に示す符号を付し、説明を省略する。
【０１２０】
校正及び判定処理は、ユーザが校正及び判定処理の対象として選択したモニタに対し、ＰＣ１００が校正処理を制御し、校正結果を判定する処理である。なお、校正及び判定処理は、ＰＣ１００、モニタ２００、モニタ３００の電源がオン状態である場合に、ＣＰＵ１０１が記憶部１０５に格納されている制御プログラム１０６を実行することによって制御される。校正及び判定処理は、ユーザがＰＣ１００に対して処理の開始操作を行った場合に開始する。
【０１２１】
ステップＳ４０１において、ＣＰＵ１０１は、記憶部１０５に記憶される内部変数ｍに対し０を設定して、本フローチャートはステップＳ４０１からステップＳ１０８に進む。ステップＳ４０２において、ＣＰＵ１０１は、ステップＳ１０８の判定制御部１１０による判定結果を分析する。モニタ３００の輝度特性が第２の判定基準の範囲内である場合（ステップＳ４０２でＹＥＳの場合）、本フローチャートを終了する。一方、モニタ３００の輝度特性が第２の判定基準内でない場合（ステップＳ４０２でＮＯの場合）、本フローチャートはステップＳ４０２からステップＳ４０３に進む。
【０１２２】
モニタ３００の輝度特性が第２の判定基準の範囲内でない場合（ステップＳ４０２でＮＯの場合）、モニタ３００の輝度特性が第２の判定基準の範囲内に収まるよう、再度、校正処理を１回または繰り返し実行する。そうすることで、モニタ３００の表示特性をモニタ２００の表示特性により近づけることができる。なお、モニタ３００の校正処理は、１回実行し直すだけでは、校正結果が第２の判定基準の範囲内に収まらない場合も考えられる。また、校正処理を繰り返し実行し続けても、校正結果が第２の判定基準の範囲内に収まらない場合も考えられる。そのため、校正処理を行う限度の回数（例えば１０回など）を予め設定することが好ましい。本実施例では、校正処理を所定の回数実行しても、校正結果が第２の判定基準の範囲内に収まらない場合、エラーとして扱うこととする。本実施例では、この所定の回数の値は、予め記憶部１０５に記憶されている値であるものとするが、これ限らない。所定の回数の値は、ユーザにより設定されるものであってもよい。また、所定の回数としては、３回や５回など、１０回よりも少ない回数であってもよいし、３０回や５０回、１００回など、１０回よりも多い回数であってもよい。
【０１２３】
ステップＳ４０３において、ＣＰＵ１０１は、校正処理が所定の回数実行されたか否かを判定する。ステップＳ４０３における判定は、内部変数ｍが、記憶部１０５に記憶される所定の回数より小さいか否かを判定することにより行う。内部変数ｍが所定の回数より小さい場合（ステップＳ４０３でＹＥＳの場合）、本フローチャートはステップＳ４０３からステップＳ４０４に進む。内部変数ｍが所定の回数以上の場合（ステップＳ４０３でＮＯの場合）、本フローチャートはステップＳ４０３からステップＳ４０６に進む。
【０１２４】
内部変数ｍが所定の回数より小さい場合（ステップＳ４０３でＹＥＳの場合）、モニタ３００に対する校正処理を再度実行するため、ステップＳ４０４に進む。ステップＳ４０４において、ＣＰＵ１０１は、モニタ３００に対して、ステップＳ１０３においてユーザが設定した目標値に基づいて、校正処理部１０９により校正処理を実行させる制御を行う。
【０１２５】
ステップＳ４０４における校正処理は、モニタ３００の記憶部３１０に記憶される色調整テーブルについて、目標値と測定部３０９による測定値に基づいて更新する、いわゆるキャリブレーション処理である。キャリブレーション処理については公知であるため説明を省略する。
【０１２６】
校正処理部１０９によるモニタ３００に対する校正処理が終了した場合、本フローチャートはステップＳ４０４からステップＳ４０５に進む。ステップＳ４０５において、ＣＰＵ１０１は、記憶部１０５に記憶される内部変数ｍをインクリメントして、本フローチャートはステップＳ４０５からステップＳ１０８に進む。
【０１２７】
内部変数ｍが所定の回を超える場合（ステップＳ４０３でＮＯの場合）、ステップＳ４０６において、ＣＰＵ１０１は所定の処理（以下、エラー処理という）を実施して、本フローチャートを終了する。なお、ステップＳ４０６におけるエラー処理は、例えば、校正処理の結果、ペア設定されているモニタ間の表示特性の類似度が所望の類似度に達することができなかった旨のメッセージ画面を表示処理部１０７により生成して、モニタに表示する処理である。
【０１２８】
なお、メッセージ画面をモニタに表示して、所望の類似度に達することができなかった旨の通知を行うのではなく、例えば、モニタが備えるランプを用いて、光で通知してもよいし、音声で通知してもよい。また、このＳ４０６におけるエラー処理は、これに限らず、例えば、目標値の設定から実行し直すようにしてもよいし（図１１のＡ）、基準モニタの校正処理から実行し直すようにしてもよい（図１１のＢ）。
【０１２９】
以上、説明したように、本実施例に係る校正システムにおいて、校正結果が第２の判定基準の範囲内に収まるまで、所定の回数を限度に、校正処理を実行し直すようにした。これにより、モニタ間の表示特性の類似度が所望の類似度に達するまで、所定の回数を限度に、校正及び判定処理を実行することになる。その結果、ユーザは、モニタ間の表示特性の類似度がより高い（モニタ間の表示特性がより近い）状態で、複数のモニタを使用することができ、ユーザの利便性がさらに向上する。
【０１３０】
なお、本実施例では、モニタ間の表示特性の類似度が所望の類似度に達するまで、所定の回数を限度に、校正及び判定処理を実行する例について説明したが、これに限らない。例えば、ユーザによる校正及び判定処理の終了指示があるまで、校正及び判定処理を実行し続けてもよい。
【０１３１】
また、本実施例では、モニタ３００が、校正処理を所定の回数実行しても、校正結果が第２の判定基準の範囲内に収まらない場合、エラー処理を実行する例について説明したが、これに限らない。例えば、モニタ３００が、校正処理を所定の回数実行しても、校正結果が第２の判定基準の範囲内に収まらない場合（ステップＳ４０３でＮＯの場合）、第２の判定基準の範囲よりも広く且つ第１の判定基準の範囲よりも狭い第３の判定基準の範囲（例えば、第１の判定基準の範囲：目標値≦±１５％、第２の判定基準の範囲：基準モニタの輝度特性≦±３％の場合、第３の判定基準の範囲：基準モニタの輝度特性≦±４％）を設定して、モニタ３００の校正結果が第３の判定基準の範囲内に収まるよう、モニタ３００に対する校正処理を所定の回数実行してもよい。
【０１３２】
このように第３の判定基準の範囲を設定して校正処理を実行し直すことで、第１の判定基準の範囲内に校正結果が収まるよう校正処理を実行する場合よりも、モニタ間の表示特性の類似度を所望の類似度に近づけることが可能となる。なお、本実施例では、第３の判定基準の範囲である「基準モニタの輝度特性≦±β％」のβの値は、予め記憶部１０５に記憶されているものとするが、これに限らない。ユーザが、βの値を設定してもよい。
【０１３３】
さらに、モニタ３００の校正処理を所定の回数実行しても、校正結果が第３の判定基準の範囲内に収まらない場合、第３の判定基準の範囲よりも広く、且つ、第１の判定基準の範囲よりも狭い第４の判定基準の範囲（例えば、基準モニタの輝度特性≦±５％）を設定して、モニタ３００の校正結果が第４の判定基準の範囲内に収まるよう、モニタ３００に対する校正処理を所定の回数実行してもよい。なお、本実施例では、第４の判定基準の範囲である「基準モニタの輝度特性≦±γ％」のγの値は、予め記憶部１０５に記憶されているものとするが、これに限らない。ユーザが、γの値を設定してもよい。
【０１３４】
また、モニタ３００の校正処理を所定の回数実行しても、校正結果が第４の判定基準の範囲内に収まらない場合、第４の判定基準の範囲よりも広く、且つ、第１の判定基準の範囲よりも狭い第５の判定基準の範囲（例えば、基準モニタの輝度特性≦±６％）を設定して、モニタ３００の校正結果が第５の判定基準の範囲内に収まるよう、モニタ３００に対する校正処理を所定の回数実行してもよい。このように、モニタ３００の校正処理を所定の回数実行しても、校正結果が所望の判定基準の範囲内に収まらない場合、段階的に判定基準の範囲を広げていってもよい。このような場合でも、第１の判定基準の範囲内に校正結果が収まるよう校正処理を実行する場合よりも、モニタ間の表示特性の類似度を所望の類似度に近づけることが可能となる。その結果、複数の表示装置に対する表示特性の校正処理を行う場合におけるユーザの利便性が、向上する。
【０１３５】
なお、本実施例では、第５の判定基準の範囲である「基準モニタの輝度特性≦±δ％」のδの値は、予め記憶部１０５に記憶されているものとするが、これに限らない。ユーザが、δの値を設定してもよい。
【０１３６】
また、本実施例では、校正処理を行う限度の「回数」を予め設定する例について説明したが、これに限らない。校正処理を行う「回数」の限度を予め設定するのではなく、校正処理を行う「時間」の限度を予め設定してもよい。例えば、モニタ３００に対して１時間校正処理を行っても、モニタ間の表示特性が所望の類似度に達しない場合に、エラー処理を実施してもよい。なお、校正処理を行う時間の限度は、１時間に限らない。２０分や３０分、４５分など、１時間よりも短い時間であってもよいし、２時間や３時間、６時間など、１時間よりも長い時間であってもよい。
【０１３７】
以上、図面を参照しながら本発明の好ましい実施形態について説明したが、本発明は係る例に限定されない。例えば、本発明においては、２台のモニタ間における校正後の表示特性の類似度を判定できる例について説明したが、これに限らない。３台以上の複数のモニタ間において、校正後の表示特性の類似度を判定する構成であってもよい。この場合、１台の基準モニタの輝度特性に基づいて生成された判定基準の範囲を使って、基準モニタ以外の全てのモニタの校正結果の判定を行えばよいが、これに限らない。１台の基準モニタの輝度特性に基づいて生成された判定基準の範囲を使って、基準モニタ以外のモニタのうちの１台のモニタの校正結果の判定を行い、当該モニタの輝度特性に基づき生成した判定基準の範囲を使って、その他のモニタの校正結果の判定を行ってもよい。
【０１３８】
また、本発明においては、表示装置が、液晶パネルを有する液晶表示装置である場合の例を説明したが、表示装置は液晶表示装置に限らない。例えば、液晶パネルの代わりに、光源部からの光を透過する表示素子として液晶素子以外の表示素子を有する表示パネルが用いられてもよい。また、表示装置が、自発光型の有機ＥＬ（Ｅｌｅｃｔｒｏｌｕｍｉｎｅｓｃｅｎｃｅ）表示装置であってもよい。
【０１３９】
また、本発明においては、表示装置がモニタである例を説明したが、これに限らない。画像データに基づく画像を表示する機能を持つ装置であれば、例えば、テレビジョン受像機などの装置を、表示装置として用いてもよい。
【０１４０】
また、本発明において、表示特性として輝度特性の類似度を判定する構成を説明したが、これに限らない。例えば、表示特性として色特性の類似度を判定する構成であってもよい。
【０１４１】
前述したように、制御装置における記憶部に記録されたプログラムを読み込み実行することで前述した実施例の機能を実現するシステムや装置のコンピュータ（又はＣＰＵ、ＭＰＵ等のデバイス）によって、本発明を実施することができる。また、例えば、記憶部に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶部となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１４２】
１００  制御装置
１０１  ＣＰＵ
１０２  出力部
１０３  通信部
１０４  操作入力部
１０５  記憶部
１０６  制御プログラム
１０７  表示処理部
１０８  設定管理部
１０９  校正処理部
１１０  判定制御部
１１１  判定基準生成部
【図１】
2017111308.tif 000003
【図２】
2017111308.tif 000004
【図３】
2017111308.tif 000005
【図４】
2017111308.tif 000006
【図５】
2017111308.tif 000007
【図６】
2017111308.tif 000008
【図７】
2017111308.tif 000009
【図８】
2017111308.tif 000010
【図９】
2017111308.tif 000011
【図１０】
2017111308.tif 000012
【図１１】
2017111308.tif 000013